(57)【要約】      （修正有）【課題】現場で図面を拡大縮小して容易に目視できるとともに、図面情報・現場情報を全体で一元的に共有できるようにした図面情報管理システムを提供する。【解決手段】図面サーバー２０と、図面サーバー２０から図面情報を受信するとともに現場情報を送受信する現場端末６０とを備え、図面サーバー２０は、図面作製者４０からの図面情報を受け、受け取った各図を複数に階層的に分割した図面情報に加工し、現場端末６０は、ピンチイン・ピンチアウト・ドラッグすることにより、階層的に分割された図面情報を選択的に拡大・縮小・移動して連続的に画面に表示する。【選択図】図１
2013225239.tif 000002
【特許請求の範囲】
【請求項１】
図面ファイルを集積して加工し、ネットを介して図面情報を伝送する図面サーバーと、該図面サーバーから図面情報を受信するとともに現場情報を送受信する現場端末とを備え、
前記図面サーバーは、図面作製者からの図面情報を受け、受け取った各図を複数に階層的に分割した図面情報に加工する図面処理機能を有し、
前記現場端末は、ピンチイン・ピンチアウト・ドラッグすることにより、階層的に分割された図面情報を選択的に拡大・縮小・移動して連続的に画面に表示することを特徴とする図面情報管理システム。
【請求項２】
前記現場端末は、図面画面へのコメント入力機能と、前記図面サーバーへのコメント情報伝送機能を有し、該コメント入力機能では、当該現場端末に特定して設定されたレイヤーに記入するものであり、
前記図面サーバーは、現場端末毎に特定されたレイヤーを重畳したコメント情報として現場端末に伝送するコメント処理機能を有することを特徴とする請求項１に記載の図面情報管理システム。
【請求項３】
前記現場端末は、写真撮影機能を有し、図面上に目印ピンをつけ、該目印ピン毎に撮影した写真を写真ファイルとして前記図面サーバーへ伝送し、
前記図面サーバーは、前記現場端末から伝送された写真ファイルを目印ピンをキーとして写真情報として集積処理する写真情報処理機能を有することを特徴とする請求項１または２に記載の図面情報管理システム。
【発明の詳細な説明】
【技術分野】
【０００１】
本発明は、図面ファイルを集積して加工し、ネットを介して図面情報を伝送する図面サーバーと、該図面サーバーから図面情報を受信するとともに現場情報を送受信する現場端末とを備えた図面情報管理システムに関し、建設現場の工程管理に適するものである。
【背景技術】
【０００２】
例えば建設現場では、現場で図面を参照して工程が進められるが、現場の状況を常に把握し、必要な図面の修正を行ったり、記録を取ることが望まれている。図面管理を一元的に行おうとする従来の技術としては、例えば特許文献１に示すようなものがある。  
【０００３】
すなわち、同文献には、サーバシステムと、該サーバシステムと情報を交換するクライアント端末とで図面管理システムを構築し、サーバーとクライアントとで図面の新規登録や変更の情報を共有する技術が開示されている。
【先行技術文献】
【特許文献】
【０００４】
【特許文献１】特開２００８−２８２０８１号公報
【発明の概要】
【発明が解決しようとする課題】
【０００５】
しかしながら、このような従来の技術では、現場で最も重要な図面そのものの表示に関する技術が開示されておらず、現場との情報交換を円滑に行えないおそれがあるという問題点があった。
【０００６】
本発明は、このような従来の技術が有する問題点に着目してなされたもので、現場で図面を拡大縮小して容易に目視できるとともに、図面情報・現場情報を全体で一元的に共有できるようにした図面情報管理システムを提供することを目的としている。
【課題を解決するための手段】
【０００７】
かかる目的を達成するための本発明の要旨とするところは、次の各項の発明に存する。
［１］  図面ファイルを集積して加工し、ネットを介して図面情報を伝送する図面サーバー（２０）と、該図面サーバー（２０）から図面情報を受信するとともに現場情報を送受信する現場端末（６０）とを備え、
前記図面サーバー（２０）は、図面作製者（４０）からの図面情報を受け、受け取った各図を複数に階層的に分割した図面情報に加工する図面処理機能を有し、
前記現場端末（６０）は、ピンチイン・ピンチアウト・ドラッグすることにより、階層的に分割された図面情報を選択的に拡大・縮小・移動して連続的に画面に表示することを特徴とする図面情報管理システム（１０）。
【０００８】
［２］  前記現場端末（６０）は、図面画面へのコメント入力機能と、前記図面サーバー（２０）へのコメント情報伝送機能を有し、該コメント入力機能では、当該現場端末（６０）に特定して設定されたレイヤーに記入するものであり、
前記図面サーバー（２０）は、現場端末（６０）毎に特定されたレイヤーを重畳したコメント情報として現場端末（６０）に伝送するコメント処理機能を有することを特徴とする項［１］に記載の図面情報管理システム（１０）。
【０００９】
［３］  前記現場端末（６０）は、写真撮影機能を有し、図面上に目印ピンをつけ、該目印ピン毎に撮影した写真を写真ファイルとして前記図面サーバー（２０）へ伝送し、
前記図面サーバー（２０）は、前記現場端末（６０）から伝送された写真ファイルを目印ピンをキーとして写真情報として集積処理する写真情報処理機能を有することを特徴とする項１または２に記載の図面情報管理システム（１０）。
【００１０】
前記本発明は、次のように作用する。  
本発明に係る図面情報管理システム（１０）では、図面サーバー（２０）で図面ファイルを集積して加工し、ネットを介して図面情報を伝送する。現場端末（６０）では、図面サーバー（２０）から図面情報を受信し、必要に応じて図面サーバー（２０）と現場情報を送受信する。
【００１１】
図面サーバー（２０）は、図面作製者（４０）からの図面情報を受け、受け取った各図を図面処理機能により複数に階層的に分割した図面情報に加工して伝送する。現場端末（６０）では、ピンチイン・ピンチアウト・ドラッグすることにより、階層的に分割された図面情報を選択的に拡大・縮小・移動して連続的に画面に表示する。操作者には図面が連続的に拡大・縮小・移動しているように見える。
【００１２】
さらに詳しく言えば、ピンチインすれば現場端末（６０）の画面上で図面が縮小する。最小にすれば現在確認している図面の全体を視認することができる。ピンチアウトすれば、図面の所要箇所が拡大される。
その際、操作に応じて階層を移動し、図面情報の分割した図面の一部を表示したり、所望の大きさで所望の個所を画面に表示して視認できるようにする。
ドラッグした場合は、現在表示している階層において分割した図面の一部を操作に従い移動して所望の個所を画面に表示する。
【００１３】
現場端末（６０）では、操作者は、コメント入力機能により図面画面へコメントを記入して、コメント情報伝送機能により図面サーバー（２０）へ情報を伝送する。コメントは、操作者のＩＤ・パスワード等の認証情報により当該現場端末（６０）に特定して設定されたレイヤーに記入される。
【００１４】
図面サーバー（２０）は、コメント処理機能により、各現場端末（６０）から受け取った現場端末（６０）毎に特定されたレイヤーを重畳し、コメント情報として現場端末（６０）に伝送する。現場端末（６０）では、レイヤーが重畳して画面に表示されるので、一目で各所のコメントを視認することができる。
【００１５】
現場端末（６０）は、写真撮影機能により、図面上に目印ピンをつけ、該目印ピン毎に撮影した写真を写真ファイルとして前記図面サーバー（２０）へ伝送する。
【００１６】
図面サーバー（２０）は、写真情報処理機能により、特定されている現場端末（６０）から伝送された写真ファイルを目印ピンをキーとして写真情報として集積処理する。また、必要により現場端末（６０）では写真情報を参照することができる。
【発明の効果】
【００１７】
本発明に係る図面情報管理システムによれば、現場で図面を拡大縮小して目視でき、最新の図面を現場で容易に確認することができ、図面情報を一元的に共有することで現場の工程を円滑・確実に進行することができる。
【００１８】
現場からコメントや写真情報を図面サーバーに伝送して現場情報を全体で共有することができ、現図面のみならず、現場の実情を一元的に共有し、現場の実情を反映して、工程を円滑・確実に進行することができる。
【図面の簡単な説明】
【００１９】
【図１】本発明の一実施の形態に係る図面情報管理システムを示すシステム説明図である。
【図２】本発明の一実施の形態に係る図面情報管理システムの図面処理機能を示すシステム説明図である。
【図３】本発明の一実施の形態に係る図面情報管理システムのコメント処理機能・写真撮影機能を示すシステム説明図である。
【図４】本発明の一実施の形態に係る図面情報管理システムの図面処理機能の説明図である。
【図５】本発明の一実施の形態に係る図面情報管理システムのコメント処理機能の説明図である。
【図６】本発明の一実施の形態に係る図面情報管理システムの現場端末での写真撮影画面の説明図である。
【図７】本発明の一実施の形態に係る図面情報管理システムの図面表示機能の流れ図である。
【図８】本発明の一実施の形態に係る図面情報管理システムの図面表示機能の伝送状態を示す説明図である。
【図９】本発明の一実施の形態に係る図面情報管理システムの現場端末でのコメント処理機能の説明図である。
【図１０】本発明の一実施の形態に係る図面情報管理システムの写真情報処理機能を示す説明図である。
【発明を実施するための形態】
【００２０】
以下、図面に基づき本発明の好適な一実施の形態を説明する。
各図は本発明の一実施の形態を示している。  
図１に示すように、図面情報管理システム１０は、図面ファイルを集積して加工し、ネットを介して図面情報を伝送する図面サーバー２０に、図面を作成・修正して供給する図面作製者４０と、図面サーバー２０から図面情報を受信するとともに手書きメモのコメントや写真の現場情報を送受信する現場端末６０とが相互に情報を伝送可能に接続して成る。
【００２１】
図面サーバー２０は、データセンターに設置され、図では、ＣｈｅＸサーバーと名付けている。図面サーバー２０と図面作製者４０とはインターネット・ＬＡＮにより接続することが想定され、図面サーバー２０と現場端末６０とは、３Ｇ，Ｘｉ，Ｗｉ−Ｆｉによりインターネット接続することが想定されている。
【００２２】
また、図面サーバー２０を運用する運用管理者・管理ＰＣ２５が設けられ、工事現場の工事事務所には、設計図書担当者が設計図書を監視するための端末ＰＣ６５が設けられ、図面作製者４０には、設計監理会社，設計会社，協力会社が含まれる。
【００２３】
図２に示すように、図面作製者４０は、設計図書を登録更新するよう図面サーバー２０に接続されている。図面サーバー２０は、図書を更新した場合は、図面作製者４０，現場端末６０に更新通知メールを送付・フィードバックするようになっている。
【００２４】
図３に示すように、現場端末６０は、設計図書を参照できるよう図面サーバー２０に接続されるとともに、手書きメモのコメントや写真を伝送可能に図面サーバー２０に接続されている。そして、図面サーバー２０は、現場からの情報が伝達された場合に、図面作製者４０，現場端末６０に更新通知メールを送信するようになっている。
【００２５】
図面サーバー２０の図面処理機能は、図面作製者４０からの図面情報を受け、受け取った各図を複数に階層的に分割した図面情報に加工するものである。
【００２６】
図４に示すように、一つの階層として、全体表示用ファイルＡを部分表示用に例えば１６個に図を分割した図面情報Ｂを作成し、また別の階層として、詳細表示用に例えば５６個に分割した図面情報Ｃを作成する。この階層の段数は現場の規模に応じて決められる。
【００２７】
現場端末６０は持ち運びが容易なタブレットが適しており、必要な数だけ各所に配置され、ピンチイン・ピンチアウト・ドラッグすることにより、階層的に分割された図面情報を選択的に拡大・縮小・移動して連続的に画面に表示するものである。
現場端末６０は、図面画面へのコメント入力機能と、図面サーバー２０へのコメント情報伝送機能を有している。
【００２８】
図５に示すように、コメント入力機能では、当該現場端末６０に特定して設定されたレイヤーに記入するものであり、例えばユーザーＡの現場端末６０では、レイヤーＡにコメントが記入され、ユーザーＢの現場端末６０では、レイヤーＢにコメントが記入されるようになっており、図面サーバー２０では、コメント処理機能により現場端末６０毎に特定されているレイヤーＡ，Ｂを重畳したコメント情報として現場端末６０に伝送するようになっている。
【００２９】
現場端末６０は、写真撮影機能を有しており、図６に示すように、図面上に目印ピン１，２をつけ、該目印ピン１，２毎に撮影した写真を写真ファイルとして前記図面サーバー２０へ伝送するものである。
図面サーバー２０は、写真情報処理機能により、現場端末６０から伝送された写真ファイルを目印ピンをキーとして写真情報として集積処理するものである。
【００３０】
次に作用を説明する。  
図面情報管理システム１０では、図面サーバー２０で図面ファイルを集積して加工し、ネットを介して図面情報を伝送する。現場端末６０では、図面サーバー２０から図面情報を受信し、必要に応じて図面サーバー２０と現場情報を送受信する。
【００３１】
図面サーバー２０は、図面処理機能により図面作製者４０からの図面情報を受け、受け取った各図を複数に階層的に分割した図面情報に加工して伝送する。現場端末６０では、ピンチイン・ピンチアウト・ドラッグすることにより、階層的に分割された図面情報を選択的に拡大・縮小・移動して連続的に画面に表示する。操作者には図面が連続的に拡大・縮小・移動しているように見える。
【００３２】
さらに詳しく言えば、ピンチインすれば現場端末６０の画面上で図面が縮小する。最小にすれば現在確認している図面の全体を視認することができる。ピンチアウトすれば、図面の所要箇所が拡大される。
その際、操作に応じて階層を移動し、図面情報の分割した図面の一部を表示したり、所望の大きさで所望の個所を画面に表示して視認できるようにする。
ドラッグした場合は、現在表示している階層において分割した図面の一部を操作に従い移動して所望の個所を画面に表示する。
【００３３】
図７の流れ図により現場端末６０の動作を説明する。ステップＳ１で操作が判断され、例えば全体を表示した状態からピンチアウトするとステップＳ２で階層ダウンする。
【００３４】
操作がなされた際、ステップＳ３で表示に必要なファイルの存在が確認され、足りなければステップＳ４でファイルがダウンロードされ、足りていればファイルをダウンロードすることなく、ステップＳ５で現場端末６０の画面表示がなされる。
【００３５】
図８に例示するように、階層Ａの網掛けから階層Ｂに階層ダウンし、網掛けした部分が現場端末６０の画面に表示される。さらにピンチアウトすると、ステップＳ１で操作が判断され、さらに階層ダウンする。図８では、階層Ｃの網掛けした部分が現場端末６０の画面に表示される。操作者は、階層の移動は意識することなく、画面は連続的に拡大する。
【００３６】
例えば、図８の階層Ｃの網掛け部分を表示した状態からピンチインするとステップＳ６で階層アップする。図８では、階層Ｃの網掛けから階層Ｂに階層アップし、網掛けした部分が現場端末６０の画面に表示される。さらにピンチインすると、さらに階層アップし、階層Ａの網掛けした図面全体が現場端末６０の画面に表示される。操作者は、階層の移動は意識することなく、画面は連続的に縮小する。
【００３７】
現場端末６０では、操作者は、コメント入力機能により図面画面へコメントを記入して、コメント情報伝送機能により図面サーバー２０へ情報を伝送する。コメントは、操作者のＩＤ・パスワード等の認証情報により当該現場端末６０に特定して設定されたレイヤーに記入される。
また、ドラッグ操作された場合は、ステップＳ７で画面スクロールする。図８では、網掛けした表示部位が移動する。
【００３８】
図面サーバー２０は、コメント処理機能により、図５に示すように、各現場端末６０から受け取った現場端末６０毎に特定された例えばレイヤーＡ，Ｂを重畳し、図９に示すように、コメント情報として現場端末６０に伝送する。
現場端末６０では、レイヤーＡ，Ｂが重畳して画面に表示されるので、一目で各所のコメントを視認することができる。
現場端末６０は、写真撮影機能により、図面上に目印ピン１，２をつけ、該目印ピン１，２毎に撮影した写真を写真ファイルとして図面サーバー２０へ伝送する。
【００３９】
図面サーバー２０は、写真情報処理機能により、特定されている現場端末６０から伝送された写真ファイルを目印ピンをキーとして写真情報として集積処理する。また、必要により現場端末６０では写真情報を参照することができる。
【００４０】
図１０に示すように、集積処理された写真情報を報告処理することがある。この場合、目印ピン１，２を記載した報告書１枚目の図面に対応して、報告書２枚目では、目印ピン１で撮影された写真１〜６が記載され、報告書３枚目では、目印ピン２で撮影された写真１，２が記載されている。
【符号の説明】
【００４１】
１０…図面情報管理システム
２０…図面サーバー
２５…管理ＰＣ
４０…図面作製者
６０…現場端末
６５…端末ＰＣ
【図１】
2013225239.tif 000003
【図２】
2013225239.tif 000004
【図３】
2013225239.tif 000005
【図４】
2013225239.tif 000006
【図５】
2013225239.tif 000007
【図６】
2013225239.tif 000008
【図７】
2013225239.tif 000009
【図８】
2013225239.tif 000010
【図９】
2013225239.tif 000011
【図１０】
2013225239.tif 000012